(57)【要約】      （修正有）【課題】転等防止靴下等においてもより一層容易な脱離を可能とする補助具を提供する、【解決手段】一対の棒状柄１，１の下端に略三角形状の靴下挿入板２，２を各々設け、各々の靴下挿入板２，２に靴下の足挿入口端部を係止する係止体４ａを設け、靴下挿入板２，２を足と靴下との間に挿入し、一対の棒状柄１，１を靴下挿入板２，２を起点にして左右に開動作することで靴下の足挿入口を左右に押し拡げ、靴下の足挿入口端部に係止体４ａを係止した状態で棒状柄１，１を足に沿ってつま先方向に移動させて靴下を脱離する【選択図】図１
2014079525.tif 000002
【特許請求の範囲】
【請求項１】
一対の棒状柄の下端に略三角形状の靴下挿入板を各々設け、前記各々の靴下挿入板に靴下の足挿入口端部を係止する係止体を設け、前記靴下挿入板を足と靴下との間に挿入し、前記一対の棒状柄を前記靴下挿入板を起点に左右に開動作することで靴下の足挿入口を左右に押し拡げた状態かつ靴下の足挿入口端部に前記係止体を係止した状態で棒状体を足に沿ってつま先方向に移動させて靴下を脱離することを特徴とする靴下の脱離用補助具。
【請求項２】
靴下挿入板の少なくとも一部が弾性を有することを特徴とする請求項１記載の靴下の脱離用補助具。
【請求項３】
一対の靴下挿入板の対向面を内向きに凹状な湾曲面としたことを特徴とする請求項１又は請求項２に記載の靴下の脱離用補助具。
【請求項４】
棒状柄の他端部に靴ベラ部を設けたことを特徴とする請求項１乃至請求項３のいずれかに記載の靴下の脱離用補助具。
【発明の詳細な説明】
【技術分野】
【０００１】
本発明は、靴下の脱離動作が楽にできるように補助する用具、とくに、屈むことが困難な妊婦、膝痛・腰痛の患者、高齢者、身体障害者あるいは肥満者が使用して好適な靴下の脱離用補助具に関するものである。
【背景技術】
【０００２】
高齢者や身体に障害があって掴む力や引っ張る力が低下した者にとって、自ら靴下を履く（装着する）動作は無論のこと脱ぐ動作（以下、脱離という）も容易なことではなく、場合によっては他者の介護を必要とする。
【０００３】
このような立位姿勢のまま或いは着座姿勢のまま、腰をかがめることなく容易に靴下を脱げるようにするための補助具である靴下脱具が考えられている（例えば、特許文献１参照。）。この靴下脱具は、把手に軸支されて左右に開閉する一対のパイプの下端部に靴下止め具をそれぞれ取付けた構造となっており、足と靴下との間に靴下止め具を挿入し、パイプをスプリングで強制的に左右に開くことで靴下の開口部を開き、その状態で棒状体を足に沿って下方に向けて操作して靴下を脱ぐことができるようにされている。
【０００４】
ところが、上記靴下脱具の靴下止め具は、スプリングによって常に一定の圧力で押圧され、その力の加減ができず靴下の開口部を傷めてしまうおそれがあった。また、パイプ同士がハサミ状に把手に軸支されているため、足に沿って靴下止め具を移動する際に、移動途中で靴下止め具がくるぶしを押圧してけがをするおそれもあった。
【０００５】
そこで、例えば特許文献２に記載されたもののように、上端部に把持部を形成した把持体の下端部後面に、挟持体を把持体の後面から漸次拡開状に設け、挟持体を前後に弾性変形可能に形成すると共に、前面を凹状湾曲面とし、さらに、把持体及び挟持体は凹状円弧断面を有し、把持体の幅員及び曲率よりも挟持体の把持体の幅員及び曲率を小さく形成し、靴下が損傷したり、足にけがをすることなく、容易に靴下を脱ぐことができる靴下脱具が提案されている。
【０００６】
他にも、棒に柔軟なプラスチックの板にゴム板の小片を貼ったものを用い、柔軟なプラスチックの板が靴ベラのように機能して、靴下の中に足を誘導すると同時にゴム板の小片が靴下に適度な抵抗を与え靴下をたくし上げ、靴下を履くことができ、Ｖ字型にカットした棒の端を足と靴下の間に挿入し、そのまま棒を押すことで靴下を脱離させる靴下着脱具（特許文献３参照。）。柄の先に靴下装着用の二股のフック支持部を設け、柄の先に靴下のずり上げ用フック部とずり下げ用フック部を取り付けた靴下脱着具（特許文献４参照。）。先端に曲がった３本の出っ張り部分を設けて、反対側に握り易く腰を軽く曲げる程度の長さ部分を設け、先端の部分で靴下のゴムのある部分を挟み下に下げることで靴下を脱ぐ用具（特許文献４参照。）等が提案されている。
【先行技術文献】
【特許文献】
【０００７】
【特許文献１】特開２０００−２７０９９６号公報
【特許文献２】特開２００８−２９４９９号公報
【特許文献３】特開２００８−２６４４４５号公報
【特許文献４】特開２００９−１１９２２５号公報
【特許文献５】特開２０１０−１３１３４８号公報
【発明の開示】
【発明が解決しようとする課題】
【０００８】
しかしながら、例えば高齢者が使用する転等防止靴下等は履き口から足先までのスペースが狭い上、きつい締め付け力を生ずるように弾性力を強くするように製作されており、その装着並びに脱離を容易にするには靴下内部から押し広げる必要がある。本発明は上記従来技術の課題に鑑み、転等防止靴下等においてもより一層容易な脱離を可能とする補助具を提供することを目的とするものである。
【課題を解決するための手段】
【０００９】
そこで、本発明の靴下の脱離用補助具は、一対の棒状柄の下端に略三角形状の靴下挿入板を各々設け、前記各々の靴下挿入板に靴下の足挿入口端部を係止する係止体を設け、前記靴下挿入板を足と靴下との間に挿入し、前記一対の棒状柄を前記靴下挿入板を起点に左右に開動作することで靴下の足挿入口を左右に押し拡げた状態かつ靴下の足挿入口端部に前記係止体を係止した状態で棒状体を足に沿ってつま先方向に移動させて靴下を脱離することを第１の特徴とする。また、靴下挿入板の少なくとも一部が弾性を有することを第２の特徴とする。さらに、一対の靴下挿入板の対向面を内向きに凹状な湾曲面としたことを第３の特徴とする。さらにまた、棒状柄の他端部に靴ベラ部を設けたことを第４の特徴とする。
【発明の効果】
【００１０】
本発明は、以下に記載する優れた効果を奏する。
（１）一対の棒状柄を、靴下挿入板を起点に左右に開動作することで靴下の足挿入口を左右に押し拡げるようにしたので、靴下に無理な力が係って損傷させるおそれがなく、また、靴下挿入板がくるぶしに強く当接してけがをするおそれもない。
（２）靴下挿入板の少なくとも一部が弾性を有するようにしたので、靴下の足挿入口端部への挿入が容易になる。また、靴下挿入板による靴下の損傷を防ぎ、足に係る負担も緩和される。
（３）一対の靴下挿入板の対向面を内向きに凹状な湾曲面とした場合、足の踵に沿って靴下挿入板を移動させる際のぶれが軽減され、使い勝手が向上する。
【図面の簡単な説明】
【００１１】
【図１】本発明に係る靴下の脱離用補助具の一実施例を示す斜視図である。
【図２】本発明に係る靴下の脱離用補助具の他の実施例を示す側面図である。
【図３】（ａ）は図２のＡ−Ａ線断面図、（ｂ）は図２のＢ−Ｂ線断面図、
【図４】本発明に係る靴下の脱離用補助具の使用状態を示す斜視図である。
【発明を実施するための形態】
【実施例１】
【００１２】
本発明に係る靴下の装着用補助具の具体的な構成について図面を参照しながら説明する。図１乃至図４に示すように、靴下の装着用補助具７は、一対の棒状柄１，１の下端に略三角形状の靴下挿入板２，２を各々一体的に設け、各々の靴下挿入板２，２に、靴下８の足挿入口端部８ａを係止する係止体（フック又は突起）４ａとから概ね構成されている。
【００１３】
すなわち、靴下の装着用補助具７は弾性のあるプラスチック製で、上下に傾斜して伸延する棒状柄１，１の下端に略三角形状の靴下挿入板２，２を各々一体成形して形成されている。尚、弾性部分は靴下挿入板２，２の少なくとも一部で良く、例えば、靴下挿入板２，２の先端側部分のみ柔軟に弾性を持たせ、フック４ａ辺りから棒状柄１，１、棒状柄１，１の上端部に設けられた靴ベラ部３に至っては剛性が高く硬質である方が操作上は好ましい。このため、図２（ａ）に示すように、靴下挿入板２，２の厚巾は先端側に向かって漸次幅狭に形成してこの物性を達成している。また、図１に示すように、靴下挿入板２，２のつま先側の半分程度の面積の透口６を形成することでもこのような物性を達成することができる。
【００１４】
また、一対の靴下挿入板２の後端辺部は、これらの対向面を内向きに凹状な湾曲面５となるように、断面形状が凹状の円弧状に形成され、これにより、足の踵に沿って靴下挿入板２を移動させる際のぶれが軽減され、使い勝手が向上する。
【００１５】
靴下の脱離用補助具７は、次のように使用する。図４（ａ）〜（ｄ）に示すように、先ず、棒状柄１の靴ベラ部３を靴下８の足挿入口８ａに挿入して、係止体（フック）４ｂにより足首の踝付近まで靴下８を押し下げる。次いで、脱離用補助具７を逆転させ、柄１の下端部である靴下挿入板２，２を足９と靴下８との間に挿入し、一対の棒状柄１，１を靴下挿入板２，２を起点にして左右に開動作する。そして、靴下８の足挿入口８ａを左右に押し拡げ、靴下８の足挿入口端部８ａに係止体４ａを係止した状態で柄１，１を足に沿ってつま先方向に移動させて靴下８を押し下げ脱離する。
【産業上の利用可能性】
【００１６】
介護家庭や介護事業者等に対して本発明に関る補助具を提供する必要性は高い。
【符号の説明】
【００１７】
１  柄
２  靴下挿入板
３  靴べら部
４ａ係止体（フック又は突起）
４ｂ係止体（フック）
５  凹状湾曲面
６  窓口
７  靴下の装着用補助具
８  靴下
８ａ靴下の開口端
９  足
【図１】
2014079525.tif 000003
【図２】
2014079525.tif 000004
【図３】
2014079525.tif 000005
【図４】
2014079525.tif 000006